(57)【要約】【課題】本発明は、加湿空気清浄機において、臭気の抑制を図ることを目的とするものである。【解決手段】加湿空気清浄運転と、空気清浄運転とに切り替える制御手段１３とを備え、この制御手段１３によって、加湿空気清浄運転時には、送風機５によって吸気口１から吸込まれた空気は、空気清浄フィルター４、加湿体８を介して排気口２へ送風され、空気清浄運転時には、吸気口１から吸込まれた空気は、空気清浄フィルター４を介して、風向変更板９によって空気清浄フィルター４からの送風を送風機５の方向へ送風方向を変更することにより加湿体８への送風を抑制すると共に加湿空気清浄運転時より、空気清浄運転時の方が加湿体８の上端部の含水量が多いことを特徴とする。【選択図】図３
2012233611.tif 000002
【特許請求の範囲】
【請求項１】
吸気口と排気口を有する本体ケースと、この本体ケース内の風路に設けた空気清浄フィルターと、この空気清浄フィルターの前記風路下流側に設けた送風機と、前記空気清浄フィルターと前記送風機との間の前記風路に設けた加湿容器と、この加湿容器内の加湿水内に、
その下端部が浸漬された加湿体と、前記風路に設けた風向変更板と、前記加湿体と風向変更板とを回転させる回転手段と、加湿空気清浄運転と、空気清浄運転とに切り替える制御手段とを備え、この制御手段によって、加湿空気清浄運転時には、前記送風機によって前記吸気口から吸込まれた空気は、前記空気清浄フィルター、前記加湿体を介して前記排気口へ送風され、空気清浄運転時には、前記吸気口から吸込まれた空気は、前記空気清浄フィルターを介して、前記風向変更板によって前記空気清浄フィルターからの送風を前記送風機の方向へ送風方向を変更することにより前記加湿体への送風を抑制すると共に加湿空気清浄運転時より、空気清浄運転時の方が前記加湿体の上端部の含水量が多いことを特徴とする加湿機能付空気清浄機。
【請求項２】
前記空気清浄運転時には、前記加湿空気清浄運転時より、前記空気清浄運転時の方が前記加湿体の上端部は、低く位置する構成とした請求項１に記載の加湿機能付空気清浄機。
【請求項３】
前記加湿空気清浄運転時には、前記風向変更板は、前記回転手段によって、前記加湿体の風路下流側に位置し、前記加湿体からの送風を前記送風機の方向へ送風方向を変更する構成とした請求項１または２に記載の加湿機能付空気清浄機。
【請求項４】
前記加湿空気清浄運転時には、前記加湿体は、網目状で略垂直方向に位置する構成とした
請求項１から３のいずれかに記載の加湿機能付空気清浄機。
【請求項５】
前記空気清浄運転時には、前記風向変更板の下端部は、前記吸気口の下端より低く位置する構成とした請求項１から４のいずれかに記載の加湿機能付空気清浄機。
【請求項６】
前記加湿容器内の前記加湿水内に、除菌ユニットを設けた請求項１から５のいずれかに記載の加湿機能付空気清浄機。
【発明の詳細な説明】
【技術分野】
【０００１】
本発明は、室内空気の加湿、および、空気清浄を行う加湿空気清浄機に関するものである。
【背景技術】
【０００２】
従来、この種の加湿空気清浄機は、以下のような構成となっていた。
【０００３】
すなわち、吸気口と排気口を有する本体ケースと、この本体ケース内の風路に設けた空気清浄フィルターと、この空気清浄フィルターの前記風路下流側に設けた送風機と、前記空気清浄フィルターと前記送風機との間の前記風路に設けた加湿容器と、この加湿容器内の加湿水内に、その下端部が浸漬されたの加湿体と、加湿容器の上流側に設けた排気経路の案内板によって、加湿空気清浄運転時には、前記送風機によって前記吸気口から吸込まれた空気は、前記空気清浄フィルター、前記加湿体を介して前記排気口へ送風され、空気清浄運転時には、前記吸気口から吸込まれた空気は、前記空気清浄フィルターを介して、前記排気経路の案内板によって前記空気清浄フィルターからの送風を排気口の方向へ送風方向を変更することにより前記加湿体への送風を抑制する構成となっていた（例えば、これに類似する先行文献として下記特許文献１が存在する）。
【先行技術文献】
【特許文献】
【０００４】
【特許文献１】特開２００５−６１６５５号公報
【発明の概要】
【発明が解決しようとする課題】
【０００５】
上記従来例における課題は、加湿器使用初期において、僅かながらの生乾き臭が発生するということであった。
【０００６】
すなわち、空気清浄機として使用する場合には、排気経路を案内板で閉じることで、加湿器には送風機からの送風が到達しないようにしており、この時には、本体ケースの吸気口から吸い込まれた室内空気はフィルターを通過して浄化され、次に送風機を介して排気口から室内へと放出される。
【０００７】
しかしながら、この時にも加湿体の下端は加湿水に浸漬されているので、この加湿体の上端部は、次第に水分が蒸発して生乾き状態となっている。
【０００８】
従って、この状態において、案内板を開放して、加湿器を使用すると、上端部が生乾きである加湿体に送風され、この時には生乾き臭が排気口から室内に放出されることになるのである。
【０００９】
これは、加湿初期に発生する生乾き臭としてよく知られているものであるが、その対策が求められている。
【００１０】
そこで、本発明は、この臭気の発生を抑制することを目的とするものである。
【課題を解決するための手段】
【００１１】
そして、この目的を達成するために、本発明は、吸気口と排気口を有する本体ケースと、この本体ケース内の風路に設けた空気清浄フィルターと、この空気清浄フィルターの前記風路下流側に設けた送風機と、前記空気清浄フィルターと前記送風機との間の前記風路に設けた加湿容器と、この加湿容器内の加湿水内に、その下端部が浸漬された加湿体と、前記風路に設けた風向変更板と、前記加湿体と風向変更板とを回転させる回転手段と、加湿空気清浄運転と、空気清浄運転とに切り替える制御手段とを備え、この制御手段によって、加湿空気清浄運転時には、前記送風機によって前記吸気口から吸込まれた空気は、前記空気清浄フィルター、前記加湿体を介して前記排気口へ送風され、空気清浄運転時には、前記吸気口から吸込まれた空気は、前記空気清浄フィルターを介して、前記風向変更板によって前記空気清浄フィルターからの送風を前記送風機の方向へ送風方向を変更することにより前記加湿体への送風を抑制すると共に加湿空気清浄運転時より、空気清浄運転時の方が前記加湿体の上端部の含水量が多いことを特徴とするものであり、これにより初期の目的を達成するものである。
【発明の効果】
【００１２】
以上のように本発明は、吸気口と排気口を有する本体ケースと、この本体ケース内の風路に設けた空気清浄フィルターと、この空気清浄フィルターの前記風路下流側に設けた送風機と、前記空気清浄フィルターと前記送風機との間の前記風路に設けた加湿容器と、この加湿容器内の加湿水内に、その下端部が浸漬された加湿体と、前記風路に設けた風向変更板と、前記加湿体と風向変更板とを回転させる回転手段と、加湿空気清浄運転と、空気清浄運転とに切り替える制御手段とを備え、この制御手段によって、加湿空気清浄運転時には、前記送風機によって前記吸気口から吸込まれた空気は、前記空気清浄フィルター、前記加湿体を介して前記排気口へ送風され、空気清浄運転時には、前記吸気口から吸込まれた空気は、前記空気清浄フィルターを介して、前記風向変更板によって前記空気清浄フィルターからの送風を前記送風機の方向へ送風方向を変更することにより前記加湿体への送風を抑制すると共に加湿空気清浄運転時より、空気清浄運転時の方が前記加湿体の上端部の含水量が多いことを特徴とすることで臭気の発生を抑制することができる。
【００１３】
すなわち、本発明において、風向変更板によって空気清浄フィルターからの送風を送風機の方向へ送風方向を変更することにより加湿体への送風を抑制すると共に、加湿空気清浄運転時より、空気清浄運転時の方が加湿体の上端部の含水量を多くすることで臭気の発生を抑制することができる。
【００１４】
つまり、制御手段によって、加湿しない空気清浄運転時には、加湿体と風向変更板とを回転させる回転手段により、加湿空気清浄運転から空気清浄運転に切り替えることにより、加湿体が吸い上げる水量を増やし、その結果として、加湿体の上端部は常に湿潤した状態となり、生乾きの状態にはならなくなるものである。
【００１５】
これによって空気清浄運転時から加湿空気清浄運転時に切り替わっても、この加湿初期の生乾き臭の発生を抑制することができるのである。
【図面の簡単な説明】
【００１６】
【図１】本発明の一実施形態の加湿空気清浄機の使用状態を示した斜視図
【図２】同加湿空気清浄機の分解斜視図
【図３】同加湿空気清浄機の加湿容器部分を示すの断面概略図（（ａ）加湿空気清浄運転時の断面概略図、（ｂ）空気清浄運転時の断面概略図）
【図４】同加湿空気清浄機の加湿空気清浄運転時の概略図
【発明を実施するための形態】
【００１７】
以下、本発明の一実施形態を、添付図面を用いて説明する。図１において、加湿空気清浄機で、室内の床上に設置され、後述するように、空気清浄運転と、加湿空気清浄運転を選択的に行うことができるようになっている。
【００１８】
加湿空気清浄機は、図１、図２に示すように、前面側の吸気口１と、上面側の排気口２を有する箱型の本体ケース３を有している。この本体ケース３内の吸気口１の近傍の風路には、空気清浄フィルター４を設け、この空気清浄フィルター４の風路下流側には、送風機５を備えている。また、空気清浄フィルター４と送風機５との間の風路には、加湿容器６を設け。この加湿容器６には、一定量の加湿水が給水タンク７から給水され、この加湿容器６内の加湿水内に、その下端部が浸漬された網目状の加湿体８を備えている。更に、加湿容器６内の風路には、風向変更板９を有するものである。送風機５は、加湿体８の上方に位置するものである。送風機５によって、本体ケース３の吸気口１から吸い込まれた空気は、まず空気清浄フィルター４を通過し、次に風路を下方向へ流れ加湿容器６内を通過し、更に風路を上方向へ流れ送風機５を介して、排気口２から室内へ送風される。
【００１９】
本実施形態における特徴は、加湿体８と風向変更板９とを回転させる回転手段１０と、加湿空気清浄運転と、空気清浄運転とに切り替える制御手段１３とを備えた点である。
【００２０】
このように、制御手段１３によって、加湿空気清浄運転時には、送風機５によって吸気口１から吸込まれた空気は、空気清浄フィルター４、加湿体８を介して排気口２へ送風される。そして、空気清浄運転時には、吸気口１から吸込まれた空気は、空気清浄フィルター４を介して、風向変更板９によって空気清浄フィルター４からの送風を送風機５の方向へ送風方向を変更することにより加湿体８への送風を抑制すると共に、制御手段によって、加湿空気清浄運転時より、空気清浄運転時の方が前記加湿体８の上端部の含水量が多くするものである。
【００２１】
すなわち、本発明において、風向変更板９によって空気清浄フィルター４からの送風を送風機５の方向へ送風方向を変更することにより加湿体８への送風を抑制すると共に、加湿空気清浄運転時より、空気清浄運転時の方が加湿体８の上端部の含水量を多くすることで臭気の発生を抑制することができる。
【００２２】
つまり、制御手段１３によって、加湿しない空気清浄運転時には、加湿体８と風向変更板９とを回転させる回転手段１０により、加湿空気清浄運転から空気清浄運転に切り替えることにより、加湿体８が吸い上げる水量を増やし、その結果として、加湿体８の上端部は常に湿潤した状態となり、生乾きの状態にはならなくなるものである。
【００２３】
これによって空気清浄運転時から加湿空気清浄運転時に切り替わっても、この加湿初期の生乾き臭の発生を抑制することができるのである。
【００２４】
また、図３、図４に示すように、空気清浄運転時には、加湿空気清浄運転時より、空気清浄運転時の方が加湿体８の上端部は、低く位置する構成としたものである。
【００２５】
具体的には、加湿容器６は、上面が開口した略椀形状で、底面から上方へ延びた２本の支持部１４を備えている。この支持部１４に回動自在にフィルタ枠１１を設けている。このフィルタ枠１１は、横長四角の略額縁形状で、短辺側である側面には外方に伸びた略円柱形状の２本の軸部１５を備え、この軸部１５が、支持部１４に軸支されている。フィルタ枠１１の長辺側の一方からは、横長平板形状の風向変更板９が延びている。
【００２６】
図４の（ａ）に示すように、加湿空気清浄運転時には、フィルタ枠１１は、加湿容器６に略垂直に位置し、この際、風向変更板９はフィルタ枠１１の下部に取り付けられ、下部から風路風下側上方へ、フィルタ枠１１と所定の角度を有し延びている。そして、図４の（ｂ）に示すように、空気清浄運転時には、回転手段１０によって回転することでフィルタ枠１１が回転し、フィルタ枠１１は、加湿容器６に傾斜して位置し、この際、風向変更板９はフィルタ枠１１の上部に取り付けられ、風向変更板９が上部から風路風上側下方へ、フィルタ枠１１と所定の角度を有し延びるものである。
【００２７】
つまり、加湿空気清浄運転においては風路に加湿体８が略垂直に位置し、風路を通過する風が加湿体８全体を通過する構成となっているが、空気清浄運転においては加湿体８と風向変更板９を回転させる手段により、加湿体８と風向変更板９が回転をし、これにより風が風向変更板９にあたり加湿体８に風があたらない構成となっている。また、加湿体８が回転したことにより空気清浄運転における加湿体上端部の位置が加湿運転時と比べて低くなるものである。
【００２８】
本発明で使用されている加湿空気清浄機の本体の加湿体８は毛細管現象を利用して水を吸上げている。毛細管現象で吸い上げられた水は連結糸につたわり水を保持するのだが、上部に行くほど吸上げ効率が悪く水の保持量も減少する。これにより空気清浄運転時に加湿体の上端部が低いことで吸い上げ機能を持った加湿体８は上部が高い位置にあるときより水の保持量が多くなる。
【００２９】
これより空気清浄運転時における加湿体８上端部の保水量は加湿空気清浄運転時より多くなり、これと風向変更板９による加湿体８への風を妨げることにより上端部が生乾きになりにくくなり、生乾きの臭いの低減につながる。
【００３０】
また、加湿空気清浄運転時には、風向変更板９は、回転手段１０によって、加湿体８の風路下流側に位置し、加湿体８からの送風を送風機５の方向へ送風方向を変更する構成としたものである。
【００３１】
具体的には、加湿体８はフィルタ枠１１に収まっており、フィルタ枠１１の片側に風向変更板９が備えられている。フィルタ枠１１の一端には回転手段１０と接するギア１２を備えており、空気清浄運転の際に回転手段１０が回転することでフィルタ枠１１が回転し、風向変更板９が上側にくるようになるよう位置する。ここで、フィルタ枠１１は、加湿容器６に略垂直に位置し、この際、風向変更板９はフィルタ枠１１の下部に取り付けられ、下部から風路風下側上方へ延びている。
【００３２】
これにより、加湿体８を通過し加湿された空気が、風向変更板９によって、上方へ風向が変化し、加湿体８の上方に位置する送風機５に流れ易いものである。つまり、加湿体８が略垂直方向に位置することで加湿体８に付随する風向変更板９は整流板として機能し、これにより、機体内の圧損が減少し、消費電力や騒音の低下につながる。
【００３３】
また、加湿空気清浄運転時には、加湿体８は、略垂直方向に位置する構成としたものである。具体的には、加湿空気清浄運転時には、フィルタ枠１１および加湿体８は、加湿容器６に略垂直に位置し、この際、風向変更板９はフィルタ枠１１の下部に取り付けられ、下部から風路風下側上方へ延びている。網目状である加湿体８は、２枚の第１の層と、この第１の層の間に第２の層とから形成し、第２の層は２枚の第１の層を連結する複数の連結糸を設け、これらの連結糸に囲まれた複数の連通孔を備えたものである。
【００３４】
つまり、加湿体８が、加湿容器６に略垂直に位置することにより、加湿体８の連通孔は、水平方向に開口するので、本体ケースにおける前面側から背面側に空気が流れ易くなる。
【００３５】
また、前記空気清浄運転時には、前記風向変更板９の下端部は、前記吸気口の下端より低く位置する構成としたものである。
【００３６】
すなわち、空気清浄運転時には、風向変更板９の下端部、つまり風向変更板９の先端が、吸気口の下端より低いことで高いときより加湿体８に流れる風量を低減させる。これにより加湿体８に流れる風量が減少するので加湿体８の乾きを抑えることになり、生乾きの臭いの低減につながる。
【００３７】
また、加湿容器６内の加湿水内に、除菌ユニット１６を設けたものである。これにより、加湿容器６内の加湿水内に除菌ユニット１６を用いることで雑菌の繁殖がふせげる。加湿体８の上部を空気清浄運転時は加湿空気清浄運転時より濡れてはいるが、それでもやはり多少の生乾きが残る場合がある。この場合の生乾きの臭いの原因の一つとして雑菌の繁殖があるが、除菌ユニット１６を用いることで繁殖が防げ、その結果臭いのレベルも低減する。
【００３８】
除菌ユニット１６の一例としては、間隙を設けて設置された酸化還元電位の異なる第１の電極および第２の電極と、この電極を短絡させる短絡部を具備し、第１の電極の酸化還元電位が第２の電極の酸化還元電位より高く、第１の電極および第２の電極が水に接する位置に配置されているものである。これにより、第２の電極の表面から溶出する金属イオンの影響により雑菌の繁殖抑制できるものである。
【産業上の利用可能性】
【００３９】
以上のように本発明は、吸気口と排気口を有する本体ケースと、この本体ケース内の風路に設けた空気清浄フィルターと、この空気清浄フィルターの前記風路下流側に設けた送風機と、前記空気清浄フィルターと前記送風機との間の前記風路に設けた加湿容器と、この加湿容器内の加湿水内に、その下端部が浸漬された加湿体と、前記風路に設けた風向変更板と、前記加湿体と風向変更板とを回転させる回転手段と、加湿空気清浄運転と、空気清浄運転とに切り替える制御手段とを備え、この制御手段によって、加湿空気清浄運転時には、前記送風機によって前記吸気口から吸込まれた空気は、前記空気清浄フィルター、前記加湿体を介して前記排気口へ送風され、空気清浄運転時には、前記吸気口から吸込まれた空気は、前記空気清浄フィルターを介して、前記風向変更板によって前記空気清浄フィルターからの送風を前記送風機の方向へ送風方向を変更することにより前記加湿体への送風を抑制すると共に加湿空気清浄運転時より、空気清浄運転時の方が前記加湿体の上端部の含水量が多いことを特徴とすることで臭気の発生を抑制することができる。
【００４０】
すなわち、本発明において、風向変更板によって空気清浄フィルターからの送風を送風機の方向へ送風方向を変更することにより加湿体への送風を抑制すると共に、加湿空気清浄運転時より、空気清浄運転時の方が加湿体の上端部の含水量を多くすることで臭気の発生を抑制することができる。
【００４１】
つまり、制御手段によって、加湿しない空気清浄運転時には、加湿体と風向変更板とを回転させる回転手段により、加湿空気清浄運転から空気清浄運転に切り替えることにより、加湿体が吸い上げる水量を増やし、その結果として、加湿体の上端部は常に湿潤した状態となり、生乾きの状態にはならなくなるものである。
【００４２】
これによって空気清浄運転時から加湿空気清浄運転時に切り替わっても、この加湿初期の生乾き臭の発生を抑制することができるのである。
【００４３】
したがって、加湿空気清浄機として極めて有用なものとなる。
【符号の説明】
【００４４】
１    吸気口
２    排気口
３    本体ケース
４    空気清浄フィルター
５    送風機
６    加湿容器
７    給水タンク
８    加湿体
９    風向変更板
１０  回転手段
１１  フィルタ枠
１２  ギア
１３  制御手段
１４  支持部
１５  軸部
１６  除菌ユニット
【図１】
2012233611.tif 000003
【図２】
2012233611.tif 000004
【図３】
2012233611.tif 000005
【図４】
2012233611.tif 000006